(57)【要約】【課題】簡単な構造で、用紙のサイズに応じて多量の用紙の積載を可能とする。【解決手段】画像が記録された用紙を積載する用紙積載装置１であり、用紙を移送する用紙移送路２と、用紙移送路２の下方位置に重ねて配置され用紙を積載する複数個の積載トレイ３ａ〜３ｃと、用紙のサイズ情報に基づき、複数個の積載トレイ３ａ〜３ｃ毎に昇降させる積載と複数個の積載トレイ３ａ〜３ｃを並べて昇降させる積載とを実行する用紙積載部４を備える。【選択図】図１
2015107873.tif 000002
【特許請求の範囲】
【請求項１】
画像が記録された用紙を積載する用紙積載装置であり、
用紙を移送する用紙移送路と、
前記用紙移送路の下方位置に重ねて配置され用紙を積載する複数個の積載トレイと、
用紙のサイズ情報に基づき前記複数個の積載トレイを昇降させ積載を実行する用紙積載部を備えたことを特徴とする用紙積載装置。
【請求項２】
前記用紙積載部は、
前記積載トレイを昇降させる昇降手段と、
前記積載トレイを平行移動させる平行移動手段と、
用紙のサイズ情報に基づき前記昇降手段と前記平行移動手段を駆動する制御手段を備え、
前記制御手段は、
前記昇降手段により上方に位置する前記積載トレイから順に昇降させて用紙を積載し、
前記平行移動手段により積載が完了した前記積載トレイから順に平行移動して排出可能にしたことを特徴とする請求項１に記載の用紙積載装置。
【請求項３】
前記用紙積載部は、
前記積載トレイを昇降させる昇降手段と、
前記積載トレイを平行移動させる平行移動手段と、
用紙のサイズ情報に基づき前記昇降手段と前記平行移動手段を駆動する制御手段を備え、
前記制御手段は、
前記平行移動手段により前記積載トレイを順に平行移動させて並べ、
前記昇降手段により並べた前記複数個の積載トレイを一緒に昇降させて用紙を積載し排出可能にしたことを特徴とする請求項１に記載の用紙積載装置。
【請求項４】
前記用紙積載部は、
前記積載トレイを昇降させる昇降手段と、
前記積載トレイを平行移動させる平行移動手段と、
用紙のサイズ情報に基づき前記昇降手段と前記平行移動手段を駆動する制御手段を備え、
前記制御手段は、
用紙の小サイズ情報に基づき、
前記昇降手段により上方に位置する前記積載トレイから順に昇降させて用紙を積載し、
前記平行移動手段により積載が完了した前記積載トレイから順に平行移動して排出可能にし、
用紙の大サイズ情報に基づき、
前記平行移動手段により前記積載トレイを順に平行移動させて並べ、
前記昇降手段により並べた前記複数個の積載トレイを一緒に昇降させて用紙を積載し排出可能にしたことを特徴とする請求項１に記載の用紙積載装置。
【発明の詳細な説明】
【技術分野】
【０００１】
この発明は、特に、複写機若しくはプリンタから排出された用紙が、順序通りになるように順番にトレイに積載する用紙積載装置に関する。
【背景技術】
【０００２】
従来から複写機若しくはプリンタで記録に供された用紙は、プリンタ内から排出され、排出された記録紙はトレイなどを有する排紙収納機構に収納されるようになっている。
【０００３】
このような排紙収納機構として例えば、プリンタから排出された用紙を載置するためのトレイに放出されるようになっているが、トレイあるいはトレイ上の収納済みの用紙の上面に当接した状態を維持し、滑り落ちることができない。
【０００４】
そのため、トレイもしくはトレイ上の収納済みの用紙の上面の位置である排紙収納位置を、プリンタから排出された用紙が当接した後にトレイもしくはトレイ上の収納済みの用紙の上面に沿って滑ることを可能とするために、トレイは排紙ローラに対して角度を直角から離れた鋭角にするような適当な高低差をもった位置に水平に固設されているものがある。
【０００５】
しかし、排出された用紙の先端が、トレイあるいはトレイ上の収納済みの用紙の上面に沿って滑るようにするため、排紙ローラとトレイとの鉛直距離を小さくせざるを得ず、このため収納可能な用紙の枚数が制限され、多量の用紙を収納するのには好適ではないことから、トレイ上に収納された用紙の重さに比例して、トレイが、先端部近傍を支持されて回動可能となり、排紙収納位置を、排出された用紙が滑るようにし、多量の用紙を収納可能とするものがある（特許文献１）。
【先行技術文献】
【特許文献】
【０００６】
【特許文献１】特開平１０−３３００１０号  公報
【発明の概要】
【発明が解決しようとする課題】
【０００７】
このように、トレイ上に収納された用紙の重さに比例して、トレイが、先端部近傍を支持されて回動可能となるための機構が複雑であり、しかも確実に用紙の重さに比例して回動させることができないなどの問題がある。また、単一のトレイに積載するだけであり、多量の用紙を積載することが困難であり、しかも用紙のサイズに対応したトレイへの積載もできなかった。
【０００８】
この発明は、このような従来の構成が有していた問題を解決しようとするものであり、簡単な構造で、用紙のサイズに応じて多量の用紙の積載を可能とする用紙積載装置を提供することを目的とする。
【課題を解決するための手段】
【０００９】
前記課題を解決し、かつ目的を達成するために、この発明は、以下のように構成した。
【００１０】
請求項１に記載の発明は、画像が記録された用紙を積載する用紙積載装置であり、
用紙を移送する用紙移送路と、
前記用紙移送路の下方位置に重ねて配置され用紙を積載する複数個の積載トレイと、  用紙のサイズ情報に基づき前記複数個の積載トレイを昇降させ積載を実行する用紙積載部を備えたことを特徴とする用紙積載装置である。
【００１１】
請求項２に記載の発明は、前記用紙積載部は、
前記積載トレイを昇降させる昇降手段と、
前記積載トレイを平行移動させる平行移動手段と、
用紙のサイズ情報に基づき前記昇降手段と前記平行移動手段を駆動する制御手段を備え、
前記制御手段は、
前記昇降手段により上方に位置する前記積載トレイから順に昇降させて用紙を積載し、
前記平行移動手段により積載が完了した前記積載トレイから順に平行移動して排出可能にしたことを特徴とする請求項１に記載の用紙積載装置。
【００１２】
請求項３に記載の発明は、前記用紙積載部は、
前記積載トレイを昇降させる昇降手段と、
前記積載トレイを平行移動させる平行移動手段と、
用紙のサイズ情報に基づき前記昇降手段と前記平行移動手段を駆動する制御手段を備え、
前記制御手段は、
前記平行移動手段により前記積載トレイを順に平行移動させて並べ、
前記昇降手段により並べた前記複数個の積載トレイを一緒に昇降させて用紙を積載し排出可能にしたことを特徴とする請求項１に記載の用紙積載装置である。
【００１３】
請求項４に記載の発明は、前記用紙積載部は、
前記積載トレイを昇降させる昇降手段と、
前記積載トレイを平行移動させる平行移動手段と、
用紙のサイズ情報に基づき前記昇降手段と前記平行移動手段を駆動する制御手段を備え、
前記制御手段は、
用紙の小サイズ情報に基づき、
前記昇降手段により上方に位置する前記積載トレイから順に昇降させて用紙を積載し、
前記平行移動手段により積載が完了した前記積載トレイから順に平行移動して排出可能にし、
用紙の大サイズ情報に基づき、
前記平行移動手段により前記積載トレイを順に平行移動させて並べ、
前記昇降手段により並べた前記複数個の積載トレイを一緒に昇降させて用紙を積載し排出可能にしたことを特徴とする請求項１に記載の用紙積載装置である。
【発明の効果】
【００１４】
前記構成により、この発明は、以下のような効果を有する。
【００１５】
請求項１に記載の発明では、用紙のサイズ情報に基づき複数個の積載トレイを昇降させ積載を実行することで、用紙のサイズに応じて多量の用紙を積載することが可能である。
【００１６】
請求項２に記載の発明では、昇降手段により上方に位置する積載トレイから順に昇降させて用紙を積載し、平行移動手段により積載が完了した積載トレイから順に平行移動して排出可能にしたことで、用紙のサイズに応じて、簡単な構造で、多量の用紙を積載することが可能である。
【００１７】
請求項３に記載の発明では、平行移動手段により積載トレイを順に平行移動させて並べ、昇降手段により並べた複数個の積載トレイを一緒に昇降させて用紙を積載し排出可能にしたことで、用紙のサイズに応じて、簡単な構造で、多量の用紙を積載することが可能である。
【００１８】
請求項４に記載の発明では、用紙の小サイズ情報に基づき、昇降手段により上方に位置する積載トレイから順に昇降させて用紙を積載し、平行移動手段により積載が完了した積載トレイから順に平行移動して排出可能にし、用紙の大サイズ情報に基づき、平行移動手段により積載トレイを順に平行移動させて並べ、昇降手段により並べた複数個の積載トレイを一緒に昇降させて用紙を積載し排出可能にしたことで、簡単な構造で、用紙のサイズに応じて多量の用紙を積載することが可能である。
【図面の簡単な説明】
【００１９】
【図１】用紙積載装置の構成図である。
【図２】複数個の積載トレイ毎に昇降させる積載を説明する図である。
【図３】複数個の積載トレイを並べて昇降させる積載を説明する図である。
【発明を実施するための形態】
【００２０】
以下、この発明の用紙積載装置の実施の形態について説明する。この発明の実施の形態は、発明の最も好ましい形態を示すものであり、この発明はこれに限定されない。
【００２１】
この実施の形態の用紙積載装置を、図１乃至図３図に基づいて説明する。図１は用紙積載装置の構成図、図２は複数個の積載トレイ毎に昇降させる積載を説明する図、図３は複数個の積載トレイを並べて昇降させる積載を説明する図である。この用紙積載装置１は、画像が記録された用紙を積載する装置であり、この用紙積載装置１は、複写機若しくはプリンタ９０に接続される。
【００２２】
この用紙積載装置１は、用紙を移送する用紙移送路２と、用紙移送路２の下方位置に重ねて配置され用紙を積載する複数個の積載トレイ３ａ〜３ｃと、用紙のサイズ情報に基づき積載を実行する用紙積載部４を備える。用紙移送路２には、一対の排紙ローラ２ａが配置されている。また、この実施の形態では、３個の積載トレイ３ａ〜３ｃを用いたが、これに限らず複数であればよい。
【００２３】
この用紙積載部４は、積載トレイを昇降させる昇降手段４１と、積載トレイを平行移動させる平行移動手段４２と、用紙のサイズ情報に基づき昇降手段４１と平行移動手段４２を駆動する制御手段４３を備える。昇降手段４１は、機械的機構により重ねた複数個の積載トレイ３ａ〜３ｃの上方位置のトレイから順に１個ずつ昇降可能で、かつ並べた複数個の積載トレイ３ａ〜３ｃを一緒に昇降させることが可能に構成される。平行移動手段４２は、機械的機構により複数個の積載トレイ３ａ〜３ｃの上方位置のトレイから順に１個ずつ用紙を積載した状態で平行移動可能で、かつ順に１個ずつ用紙を積載しない状態で平行移動可能に構成される。
【００２４】
制御手段４３は、用紙のサイズ情報に基づき、複数個の積載トレイ３ａ〜３ｃ毎に昇降させる積載と複数個の積載トレイ３ａ〜３ｃを並べて昇降させる積載とを実行する。用紙のサイズ情報は、複写機若しくはプリンタ９０から送られ、制御手段４３は、用紙の小サイズ情報に基づき、昇降手段４１により上方に位置する積載トレイから順に昇降させて用紙を積載し、平行移動手段４２により積載が完了した積載トレイから順に平行移動して排出可能にし、用紙の大サイズ情報に基づき、平行移動手段４２により積載トレイを順に平行移動させて並べ、昇降手段４１により並べた複数個の積載トレイ３ａ〜３ｃを一緒に昇降させて用紙を積載し排出可能にする。
【００２５】
次に、図２に基づき複数個の積載トレイ毎に昇降させる積載を詳細に説明する。複数個の積載トレイ３ａ〜３ｃが重ねて配置されている（図２（ａ））。複写機若しくはプリンタ９０において用紙に画像が記録され、画像が記録された用紙が用紙移送路２に送られる共に、用紙のサイズ情報が制御手段４３に送られる。制御手段４３では、用紙の小サイズ情報に基づき、昇降手段４１により上方に位置する積載トレイ３ａを上昇させ（図２（ｂ））、この積載トレイ３ａを下降させながら用紙を積載する（図２（ｃ））。
【００２６】
平行移動手段４３により積載が完了した積載トレイ３ａを平行移動すると共に（図２（ｄ））、昇降手段４１により上方に位置する積載トレイ３ｂを上昇させ（図２（ｅ））、この積載トレイ３ｂを下降させながら用紙を積載する（図２（ｆ））。同様に、平行移動手段４３により積載が完了した積載トレイ３ｂを平行移動すると共に（図２（ｇ））、昇降手段４１により最後の積載トレイ３ｃを上昇させ（図２（ｈ））、この積載トレイ３ｃを下降させながら用紙を積載する（図２（ｉ））。
【００２７】
次に、図３に基づき複数個の積載トレイを並べて昇降させる積載を詳細に説明する。複数個の積載トレイ３ａ〜３ｃが重ねて配置されており、複写機若しくはプリンタ９０において用紙に画像が記録され、画像が記録された用紙が用紙移送路２に送られると共に、用紙のサイズ情報が制御手段４３に送られる。制御手段４３では、用紙の大サイズ情報に基づき、平行移動手段４２により複数個の積載トレイ３ａ〜３ｃを順に平行移動させて並べ（図３（ａ））、昇降手段４１により並べた複数個の積載トレイ３ａ〜３ｃを一緒に昇降させて用紙を積載し排出可能にし（図３（ｂ））、この複数個の積載トレイ３ａ〜３ｃを下降させながら用紙を積載する（図３（ｃ））。
【００２８】
このように、用紙の小サイズ情報に基づき、昇降手段４１により上方に位置する積載トレイから順に昇降させて用紙を積載し、平行移動手段４２により積載が完了した積載トレイから順に平行移動して排出可能にし、一方用紙の大サイズ情報に基づき、平行移動手段４２により積載トレイを順に平行移動させて並べ、昇降手段４１により並べた複数個の積載トレイ３ａ〜３ｃを一緒に昇降させて用紙を積載し排出可能にする。用紙のサイズ情報に基づき、複数個の積載トレイ３ａ〜３ｃ毎に昇降させる積載と複数個の積載トレイ３ａ〜３ｃを並べて昇降させる積載とを実行し、簡単な構造で、用紙のサイズに応じて多量の用紙を積載することが可能である。
【産業上の利用可能性】
【００２９】
この発明は、複写機若しくはプリンタから排出された用紙が、順序通りになるように順番にトレイに積載する用紙積載装置に適用可能であり、簡単な構造で、用紙のサイズに応じて多量の用紙の積載を可能とする。
【符号の説明】
【００３０】
１  用紙積載装置
２  用紙移送路
２ａ  一対の排紙ローラ
３ａ〜３ｃ  積載トレイ
４  用紙積載部
４１  昇降手段
４２  平行移動手段
４３  制御手段
【図１】
2015107873.tif 000003
【図２】
2015107873.tif 000004
【図３】
2015107873.tif 000005